(57)【要約】【課題】主記憶メモリ上のアルバム管理領域を効率的に利用する。【解決手段】  モード１による最大登録枚数調整処理を実行すると、処理前の各アルバムのアルバム管理領域の空き容量に対して、例えば登録可能性が最も低いＧアルバムの空き容量が、登録可能性が最も高いＡアルバムの空き容量に移動され、登録可能性が最も高いＡアルバムの登録可能な残り枚数が増やされ、登録可能性が最も低いＧアルバムの登録可能な残り枚数が削除されるように最大登録枚数調整が行われる。【選択図】  図９
2006065592.tif 000002
【特許請求の範囲】
【請求項１】
複数のコンテンツの表示及び編集用に使用する登録メモリ領域が予め複数のアルバム毎のアルバム管理領域に割り当てられているアルバム管理装置において、
前記アルバムに新規のコンテンツ登録を行うコンテンツ登録可能性を判断する登録可能性判断手段と、
前記コンテンツ登録可能性に基づき、前記アルバムの登録可能性順位の順位付けを行う登録可能性順位付け手段と、
前記登録可能性順位が低いアルバムにおける使用可能な前記新規のコンテンツ登録の前記登録メモリ領域を、前記登録可能性順位が高いアルバムにおける使用可能な前記新規のコンテンツ登録の前記登録メモリ領域に変更するコンテンツ登録メモリ領域変更手段と
を備えたことを特徴とするアルバム管理装置。
【請求項２】
前記コンテンツ登録メモリ領域変更手段は、
最も前記登録可能性順位が低いアルバムの前記新規のコンテンツ登録の登録メモリ領域を、最も前記登録可能性順位が高いアルバムの前記新規のコンテンツ登録の登録メモリ領域に割り当てる領域割当手段を有する
ことを特徴とする請求項１に記載のアルバム管理装置。
【請求項３】
前記コンテンツ登録メモリ領域変更手段は、
前記登録可能性順位が低い複数のアルバムの前記新規のコンテンツ登録の登録メモリ領域を、前記登録可能性順位が高い複数のアルバムの前記新規のコンテンツ登録の登録メモリ領域に均等に割り当てる領域割当手段を有する
ことを特徴とする請求項１に記載のアルバム管理装置。
【請求項４】
前記コンテンツ登録メモリ領域変更手段は、
前記登録可能性順位が低い複数のアルバムの前記新規のコンテンツ登録の登録メモリ領域を、前記登録可能性順位が高い複数のアルバムの前記新規のコンテンツ登録の登録メモリ領域に前記登録可能性順位の高い順に重み付けして割り当てる領域割当手段を有する
ことを特徴とする請求項１に記載のアルバム管理装置。
【請求項５】
前記コンテンツ登録メモリ領域変更手段は、
前記登録可能性順位が低い複数のアルバムの前記新規のコンテンツ登録の登録メモリ領域を、最も前記登録可能性順位が高いアルバムの前記新規のコンテンツ登録の登録メモリ領域に割り当てる領域割当手段を有する
ことを特徴とする請求項１に記載のアルバム管理装置。
【請求項６】
前記コンテンツ登録メモリ領域変更手段は、
最も前記登録可能性順位が低いアルバムの前記新規のコンテンツ登録の登録メモリ領域を、前記登録可能性順位が高い複数のアルバムの前記新規のコンテンツ登録の登録メモリ領域に均等に割り当てる領域割当手段を有する
ことを特徴とする請求項１に記載のアルバム管理装置。
【請求項７】
前記コンテンツ登録メモリ領域変更手段は、
最も前記登録可能性順位が低いアルバムの前記新規のコンテンツ登録の登録メモリ領域を、前記登録可能性順位が高い複数のアルバムの前記新規のコンテンツ登録の登録メモリ領域に前記登録可能性順位の高い順に重み付けして割り当てる領域割当手段を有する
ことを特徴とする請求項１に記載のアルバム管理装置。
【請求項８】
複数のコンテンツの表示及び編集用に使用するメモリ領域が予め複数のアルバム毎に割り当てられているアルバム管理方法において、
前記アルバムに新規のコンテンツ登録を行うコンテンツ登録可能性を判断する登録可能性判断工程と、
前記コンテンツ登録可能性に基づき、前記アルバムの登録可能性順位の順位付けを行う登録可能性順位付け工程と、
前記登録可能性順位が低いアルバムにおける使用可能な前記新規のコンテンツ登録の登録メモリ領域の少なくとも一部の領域を、前記登録可能性順位が高いアルバムにおける使用可能な前記新規のコンテンツ登録の登録メモリ領域に変更するコンテンツ登録メモリ領域変更工程と
を備えたことを特徴とするアルバム管理方法。
【請求項９】
前記コンテンツ登録メモリ領域変更工程は、
最も前記登録可能性順位が低いアルバムの前記新規のコンテンツ登録の登録メモリ領域を、最も前記登録可能性順位が高いアルバムの前記新規のコンテンツ登録の登録メモリ領域に割り当てる領域割当工程を有する
ことを特徴とする請求項８に記載のアルバム管理方法。
【請求項１０】
前記コンテンツ登録メモリ領域変更工程は、
前記登録可能性順位が低い複数のアルバムの前記新規のコンテンツ登録の登録メモリ領域を、前記登録可能性順位が高い複数のアルバムの前記新規のコンテンツ登録の登録メモリ領域に均等に割り当てる領域割当工程を有する
ことを特徴とする請求項８に記載のアルバム管理方法。
【請求項１１】
前記コンテンツ登録メモリ領域変更工程は、
前記登録可能性順位が低い複数のアルバムの前記新規のコンテンツ登録の登録メモリ領域を、前記登録可能性順位が高い複数のアルバムの前記新規のコンテンツ登録の登録メモリ領域に前記登録可能性順位の高い順に重み付けして割り当てる領域割当工程を有する
ことを特徴とする請求項８に記載のアルバム管理方法。
【請求項１２】
前記コンテンツ登録メモリ領域変更工程は、
前記登録可能性順位が低い複数のアルバムの前記新規のコンテンツ登録の登録メモリ領域を、前記登録可能性順位が最も高いアルバムの前記新規のコンテンツ登録の登録メモリ領域に割り当てる領域割当工程を有する
ことを特徴とする請求項８に記載のアルバム管理方法。
【請求項１３】
前記コンテンツ登録メモリ領域変更工程は、
最も前記登録可能性順位が低いアルバムの前記新規のコンテンツ登録の登録メモリ領域を、前記登録可能性順位が高い複数のアルバムの前記新規のコンテンツ登録の登録メモリ領域に均等に割り当てる領域割当工程を有する
ことを特徴とする請求項８に記載のアルバム管理方法。
【請求項１４】
前記コンテンツ登録メモリ領域変更工程は、
最も前記登録可能性順位が低いアルバムの前記新規のコンテンツ登録の登録メモリ領域を、前記登録可能性順位が高い複数のアルバムの前記新規のコンテンツ登録の登録メモリ領域に前記登録可能性順位の高い順に重み付けして割り当てる領域割当工程を有する
ことを特徴とする請求項８に記載のアルバム管理方法。
【発明の詳細な説明】
【技術分野】
【０００１】
本発明は、複数のコンテンツの表示及び編集用に使用するメモリ領域が予め複数のアルバム毎のアルバム管理領域に割り当てられているアルバム管理装置に関する。
【背景技術】
【０００２】
デジタルスチルカメラで使用される記録媒体に記録できるアルバム内の画像数は、撮影されて記録された画像の枚数によって変動する。撮影された画像が多いほど、登録できるアルバム内の画像数は少なくなる。これは、主にアルバムをフォルダ毎で管理する場合である。
【０００３】
一方、最近では例えば特開平１１−２７２８４０号公報等に示されるように、記録媒体に記録されたアルバム制御リストを用いてアルバムを実現することデジタルスチルカメラが提案されている。
【０００４】
制御リストとは、アルバムに登録する撮影画像の記録されているファイルパスや画像情報等が記述されているものである。
【０００５】
そのような制御リストを用いる場合は、アルバムに画像を登録してもさほど記録容量を使わないために、アルバムヘ画像を大量に登録でき、撮影画像枚数に大きく依存することはない。
【特許文献１】特開平１１−２７２８４０号公報
【発明の開示】
【発明が解決しようとする課題】
【０００６】
ところで通常は、デジタルカメラの主記憶メモリにある程度決まったアルバム領域をアルバム毎に確保しておき、そこに制御ファイルを展開しておいてアルバム表示・編集を行う。
【０００７】
アルバムによって使用されるアルバム領域が固定されている場合、アルバム毎のアルバム領域に登録できる画像枚数は固定されることになる。
【０００８】
しかしながら、今後登録しないアルバムでは残りのアルバム領域が使用されない可能性があるが、全てのアルバムにおいて均一にアルバム毎のアルバム領域（アルバム登録枚数）を決定していては、主記憶メモリのメモリ領域が無駄になるといった問題がある。
【０００９】
本発明は、上記事情に鑑みてなされたものであり、主記憶メモリ上のアルバム管理領域を効率的に利用することのできるアルバム管理装置を提供することを目的としている。
【課題を解決するための手段】
【００１０】
本発明のアルバム管理装置は、
複数のコンテンツの表示及び編集用に使用する登録メモリ領域が予め複数のアルバム毎のアルバム管理領域に割り当てられているアルバム管理装置において、
前記アルバムに新規のコンテンツ登録を行うコンテンツ登録可能性を判断する登録可能性判断手段と、
前記コンテンツ登録可能性に基づき、前記アルバムの登録可能性順位の順位付けを行う登録可能性順位付け手段と、
前記登録可能性順位が低いアルバムにおける使用可能な前記新規のコンテンツ登録の前記登録メモリ領域を、前記登録可能性順位が高いアルバムにおける使用可能な前記新規のコンテンツ登録の前記登録メモリ領域に変更するコンテンツ登録メモリ領域変更手段と
を備えて構成される。
【発明の効果】
【００１１】
本発明によれば、主記憶メモリ上のアルバム管理領域を効率的に利用することができるという効果がある。
【発明を実施するための最良の形態】
【００１２】
以下、図面を参照しながら本発明の実施例について述べる。
【実施例１】
【００１３】
図１ないし図２１は本発明の実施例１に係わり、図１はＤＳＣの背面構成を示す外観図、図２は図１のＤＳＣの構成を示すブロック図、図３はアルバム登録枚数を調整するための図２のＣＰＵの処理の流れを示すフローチャート、図４は図３の処理でのアルバムの順位付けを説明する第１の図、図５は図３の処理でのアルバムの順位付けを説明する第２の図、図６は図３の処理でのアルバムの順位付けを説明する第３の図、図７は図３の処理で展開される追加可能性計算設定画面を示す図、図８は図３の最大登録枚数調整処理のモード１の流れを示すフローチャート、図９は図８の処理を説明する図、図１０は図３の最大登録枚数調整処理のモード２の流れを示すフローチャート、図１１は図９の処理を説明する図、図１２は図３の最大登録枚数調整処理のモード３の流れを示すフローチャート、図１３は図１２の処理を説明する図、図１４は図３の最大登録枚数調整処理のモード４の流れを示すフローチャート、図１５は図１４の処理を説明する図、図１６は図３の最大登録枚数調整処理のモード５の流れを示すフローチャート、図１７は図１６の処理を説明する図、図１８は図３の最大登録枚数調整処理のモード６の流れを示すフローチャート、図１９は図１８の処理を説明する図、図２０は図３の処理を説明する第１の図、図２１は図３の処理を説明する第２の図である。
【００１４】
図１に示すように、本実施例のデジタルスチルカメラ（以下、ＤＳＣ）２の背面には、被写体を撮影した画像を表示したり各種設定画面を表示する液晶表示部４と、被写体像を確認するファインダ５と、ＤＳＣ２の電源オン状態を示すパワーＬＥＤ６と、液晶表示部４に表示される各種設定画面上での操作データを入力する選択／決定ボタン９等とが設けられ、ＤＳＣ２の上部には、画像の撮像を指示するシャッタ１０と、ＤＳＣ２における撮影モード及び操作モード等のモードを選択するモード選択ダイヤル１１等が設けられている。
【００１５】
図２に示すように、ＤＳＣ２は、撮像部２０と、圧縮伸長エンジン１９，ＣＰＵ２１，ＲＯＭ２２，ＲＡＭ２３，画像記録部２４，ファイル管理部２５，外部Ｉ／Ｆ２６を備え、ＲＯＭ２２に格納されている制御プログラムに従いＲＡＭ２３を用いてＣＰＵ２１が各種制御を行うようになっている。
【００１６】
圧縮伸長エンジン１９により撮像部２０により被写体を撮影した画像データが圧縮されると、ＣＰＵ２１は、画像データを画像記録部２４に格納すると共に、該画像データを管理するためのファイル管理データをファイル管理部２５に格納する。
【００１７】
なお、画像記録部２４は、不揮発性メモリＥＥＰＲＯＭ等で構成され、電源オフ等でもデータは保持される。画像記録部２４は固定式のメモリでも交換可能型のメモリでもよい。
【００１８】
また、画像記録部２４は、スマートメディアを始めとする半導体メモリ、あるいは磁気メモリ、ハードデイスクなどの磁気ディスク、ＣＤなどの光ディスク、ＭＯなどの光磁気ディスク、上記の組み合わせ、などであってもよい。あるいは、画像記録部２４は単数である必要は無く、複数の記録媒体からなっていても構わない。
【００１９】
画像記録部２４に格納された複数の画像データは液晶表示部４に縮小されて表示ができ、選択／決定ボタン９を用いて所望の画像データを図示しないＰＣ（パーソナルコンピュータ）等に保存させることができるようになっている。
【００２０】
ＤＳＣ２においては、撮影時には、圧縮伸長エンジン１９は、ＣＰＵ２１からの指示によりＲＡＭ２３内の撮像データをＣＰＵ２１が指定するフォーマットの画像へと圧縮する。圧縮された画像は、ＣＰＵ２１からの指示によりファイル管理部２５を通して画像記録部２４に記録される。
【００２１】
再生時には、圧縮伸長エンジン１９は、ＣＰＵ２１からの指示により画像記録部２４内の画像を、記録されているフォーマットに従い伸長する。伸長された画像データは画像記録部２４に再生される。
【００２２】
次に、このように構成された本実施例の作用について説明する。ここで、ファイル管理部２５は画像データを管理する管理データ（アルバム作成日情報、アルバム更新日情報、アルバム更新回数情報、画像データファイルのファイルパス、残り枚数情報（空き容量）等）をアルバム単位で格納している。また、説明の簡略化のためアルバムを８個のＡアルバム〜Ｈアルバムとする。
【００２３】
図３に示すように、アルバム登録枚数を調整するために、ＣＰＵ２１は、ステップＳ１とＳ２にてファイル管理部２５からアルバム作成日情報、アルバム更新日情報、アルバム更新回数情報を全アルバム毎に対して取得する。そして、ステップＳ３にて取得した全アルバムの作成日が所定日より古い日（例えば６ヶ月以上前）か、全アルバムの更新日が所定日より古い日（例えば３週間以上前）かあるいは全アルバムの更新回数が所定回数より少ない（例えば３回以下）かを判別し、判別結果がＹｅｓならステップＳ４に進み、判別結果がＮｏなら処理を終了する。
【００２４】
ステップＳ４では、登録される可能性を判断するための所定の基準テンプレートをＲＯＭ２２から読み込む。
【００２５】
そして、ステップＳ５にて、基準テンプレートを用いて、図４に示すように、アルバム作成日情報、アルバム更新日情報、アルバム更新回数情報をアルバム毎に順位付け、その順位を点数化して、点数に基づきアルバムに順位を付けて並びかえる。図４では説明の簡略化のため、８つにアルバム（Ａアルバム〜Ｈアルバム）を例としている。
【００２６】
詳細には、図４に示すように、第１の基準テンプレート５０を用いて、アルバム作成日情報が最新のアルバムをアルバム作成順位１、アルバム更新日情報が最新のアルバムをアルバム更新順位１、アルバム更新回数情報が最も多いアルバムをアルバム更新回数１として、各順位を点数化（順位ｊならばｊ点）して、アルバム毎にアルバム作成日情報、アルバム更新日情報、アルバム更新回数情報の各点数を加算し、第２の基準テンプレート５１でアルバム毎の加算した点数を展開する。その後、第２の基準テンプレート５１上で点数の低い順にアルバムを並べかえる。
【００２７】
なお、図４においては、アルバム作成日順位、アルバム更新日順位、アルバム更新回数順位の各点数を単純加算してアルバム毎の順位を決定したが、アルバム順位の決定方法はこれに限らない。
【００２８】
例えば図５に示すように、アルバム作成日順位、アルバム更新日順位、アルバム更新回数順位の各点数を重み付け加算、例えば点数＝アルバム作成日順位×α＋アルバム更新日順位×β＋アルバム更新回数順位×γという重み付け加算を行って点数化してアルバム毎の順位を決定してもよい。
【００２９】
さらに、例えば図５に示すように、アルバム作成日順位、アルバム更新日順位、アルバム更新回数順位の各点数を指数重み付け加算、例えば点数＝アルバム作成日順位×ｅｘｐ（α）＋アルバム更新日順位×ｅｘｐ（β）＋アルバム更新回数順位×ｅｘｐ（γ）という指数重み付け加算を行って点数化してアルバム毎の順位を決定してもよい。
【００３０】
ステップＳ５でのアルバム毎の順位が決定されると、ステップＳ６にて図７に示すような追加可能性計算設定画面を液晶表示部４に表示する。この追加可能性計算設定画面での計算方法の選択項目では後述する最大登録枚数調整処理における計算方法を選択する。また、追加可能性計算設定画面での高低基準レベルの選択項目は、ステップＳ７及びＳ８でのアルバム抽出レベルを設定する。さらに、追加可能性計算設定画面での重み付けレベルの選択項目では後述する最大登録枚数調整処理における処理方法での重み付けのレベルを設定する。
【００３１】
なお、この設定画面は常に表示しなくてもよく、ユーザ指示によって表示しても良い。
【００３２】
追加可能性計算設定画面での入力が終了すると、ステップＳ７にて高低基準レベルの選択項目に基づいて追加登録の可能性が低いアルバムを抽出し、ステップＳ８にて高低基準レベルの選択項目に基づいて追加登録の可能性が高いアルバムを抽出する。
【００３３】
そして、ステップＳ９にて追加登録の可能性が低いアルバムのアルバム管理領域の空き容量に登録可能な残り枚数nを取得し、ステップＳ１０にて残り枚数nが０かどうか判断し、残り枚数nが０ならば処理を終了し、残り枚数nが０でないならばステップＳ１１の最大登録枚数調整処理を実行して処理を終了する。
【００３４】
上述したようにステップＳ１１の最大登録枚数調整処理では、追加可能性計算設定画面での計算方法の選択項目により処理モードが異なる。追加可能性計算設定画面での計算方法の選択項目に応じて、処理モードを以下のようにモード１〜６と記す。
【００３５】
モード１：最低→最高＝登録可能性が最も低いアルバムのアルバム管理領域の空き容量に登録可能な残り枚数を、登録可能性が最も高いアルバムのアルバム管理領域の空き容量に登録可能な残り枚数に移動させるモード。
【００３６】
モード２：低→高（均等）＝登録可能性が低い複数のアルバムのアルバム管理領域の空き容量に登録可能な残り枚数を、登録可能性が高い複数のアルバムのアルバム管理領域の空き容量に登録可能な残り枚数に均等に配分して移動させるモード。
【００３７】
モード３：低→高（重み付け）＝登録可能性が低い複数のアルバムのアルバム管理領域の空き容量に登録可能な残り枚数を、登録可能性が高い複数のアルバムのアルバム管理領域の空き容量に登録可能な残り枚数に重み付けして配分して移動させるモード。
【００３８】
モード４：低→最高＝登録可能性が低い複数のアルバムのアルバム管理領域の空き容量に登録可能な残り枚数を、登録可能性が最も高いアルバムのアルバム管理領域の空き容量に登録可能な残り枚数に全て移動させるモード。
【００３９】
モード５：最低→高（均等）＝登録可能性が最も低いアルバムのアルバム管理領域の空き容量に登録可能な残り枚数を、登録可能性が高い複数のアルバムのアルバム管理領域の空き容量に登録可能な残り枚数に均等に配分して移動させるモード。
【００４０】
モード６：最低→高（重み付け）＝登録可能性が最も低いアルバムのアルバム管理領域の空き容量に登録可能な残り枚数を、登録可能性が高い複数のアルバムのアルバム管理領域の空き容量に登録可能な残り枚数に重み付けして配分して移動させるモード。
【００４１】
まず、最大登録枚数調整処理のモード１について説明する。図８に示すようにモード１では、ステップＳ２１にて登録可能性が最も低いアルバムのアルバム管理領域の空き容量に登録可能な残り枚数nを取得し、ステップＳ２２にて登録可能性が最も高いアルバムのアルバム管理領域の空き容量に登録可能な残り枚数mを取得し、ステップＳ２３にてmにnを加算して処理を終了する。
【００４２】
このモード１による最大登録枚数調整処理を実行すると、図９に示すように、処理前の各アルバムのアルバム管理領域の空き容量に対して、例えば登録可能性が最も低いＧアルバムの空き容量が、登録可能性が最も高いＡアルバムの空き容量に移動され、登録可能性が最も高いＡアルバムの登録可能な残り枚数が増やされ、登録可能性が最も低いＧアルバムの登録可能な残り枚数が削除されるように最大登録枚数調整が行われる。
【００４３】
次に、最大登録枚数調整処理のモード２について説明する。図１０に示すようにモード２では、ステップＳ３１にて調整アルバム数sが読み出される。この調整アルバム数sは、ステップＳ７にて高低基準レベルの選択項目に基づいて抽出した追加登録の可能性が低いアルバムの数、あるいはステップＳ８にて高低基準レベルの選択項目に基づいて抽出した追加登録の可能性が高いアルバムの数である。
【００４４】
そして、ステップＳ３２にて追加登録の可能性が低いs個のアルバムの残り枚数から調整枚数総数nを算出する。算出方法としては、例えばアルバムの残り枚数をn（j）とし、重み係数をαjとしたとき、整枚数総数nは、n＝Σn（j）×αjでjについてサーメーションして算出される。なお、重み付けせずにn＝Σn（j）としてもよい。
【００４５】
次に、ステップＳ３３にて追加登録の可能性が高いs個のアルバムの残り枚数に移動して調整可能な調整枚数NをN＝n／sにより算出する。そして、ステップＳ３４にて調整枚数Nが１を超えているかどうか判断し、１以下ならば処理を終了する。
【００４６】
調整枚数Nが１を超えている場合は、ステップＳ３５にてkを１に設定し、ステップＳ３６にて追加登録の可能性が高いk番目のアルバムの残り枚数m（k）を取得し、ステップＳ３７にてm（k）にNを加算し、ステップＳ３８にてkをインクリメントしステップＳ３９にてkがsになるまでステップＳ３６〜Ｓ３９を繰り返して、kがsになると処理を終了する。
【００４７】
このモード２による最大登録枚数調整処理を実行すると、図１１に示すように、処理前の各アルバムのアルバム管理領域の空き容量に対して、例えば登録可能性が低い３つのＣ，Ｇ，Ｈアルバムの空き容量が、登録可能性が高い３つのＡ，Ｂ，Ｄアルバムの空き容量に移動され、登録可能性が高い３つのＡ，Ｂ，Ｄアルバムの登録可能な残り枚数が増やされ、登録可能性が低い３つのＣ，Ｇ，Ｈアルバムの登録可能な残り枚数が登録可能性が低いほど多く削除されるように最大登録枚数調整が行われる。
【００４８】
なお、例えば３つのＣ，Ｇ，Ｈアルバムの登録可能な残り枚数全てを削除するようにしても良い。
【００４９】
次に、最大登録枚数調整処理のモード３について説明する。図１２に示すようにモード３では、ステップＳ４１にて調整アルバム数sが読み出される。そして、ステップＳ４２にて追加登録の可能性が低いs個のアルバムの残り枚数から調整枚数総数nを算出し、ステップＳ４３にてkを１に設定する。
【００５０】
次に、ステップＳ４４にて追加登録の可能性が高いk番目のアルバムの残り枚数m（k）を取得し残り枚数m（k）に調整可能な調整残り枚数N（k）を算出する。算出例としては
N（1）＝n×ｅｘｐ（−１＋１／２）
N（k+1）＝N（k）×ｅｘｐ（−１＋１／２k）
ただし、ΣN（k）＜n
そして、ステップＳ４５にて追加登録の可能性が高いk番目のアルバムの残り枚数m（k）を取得しm（k）にN（k）を加算し、ステップＳ４６にてkをインクリメントしステップＳ４７にてkがsになるまでステップＳ４４〜Ｓ４７を繰り返して、kがsになると処理を終了する。
【００５１】
このモード３による最大登録枚数調整処理を実行すると、図１３に示すように、処理前の各アルバムのアルバム管理領域の空き容量に対して、例えば登録可能性が低い３つのＣ，Ｇ，Ｈアルバムの空き容量が、登録可能性が高い３つのＡ，Ｂ，Ｄアルバムの空き容量に重み付けられて移動され、登録可能性が高い３つのＡ，Ｂ，Ｄアルバムの登録可能な残り枚数が増やされ、登録可能性が低い３つのＣ，Ｇ，Ｈアルバムの登録可能な残り枚数が登録可能性が低いほど多く削除されるように最大登録枚数調整が行われる。
【００５２】
次に、最大登録枚数調整処理のモード４について説明する。図１４に示すようにモード３では、ステップＳ５１にて調整アルバム数sが読み出され、ステップＳ５２にて追加登録の可能性が低いs個のアルバムの残り枚数から調整枚数総数nを算出する。
【００５３】
そして、ステップＳ５２にて登録可能性が最も高いアルバムの残り枚数mを取得し、ステップＳ５３にてmにnを加算して処理を終了する。
【００５４】
このモード４による最大登録枚数調整処理を実行すると、図１５に示すように、処理前の各アルバムのアルバム管理領域の空き容量に対して、例えば登録可能性が低い３つのＣ，Ｇ，Ｈアルバムの空き容量が、登録可能性が最も高いＡアルバムの空き容量に移動され、登録可能性が最も高いＡアルバムの登録可能な残り枚数が増やされ、登録可能性が低い３つのＣ，Ｇ，Ｈアルバムの登録可能な残り枚数が登録可能性が低いほど多く削除されるように最大登録枚数調整が行われる。
【００５５】
次に、最大登録枚数調整処理のモード５について説明する。図１６に示すようにモード５では、ステップＳ６１にて調整アルバム数sが読み出され、ステップＳ６２にて追加登録の可能性が最も低いアルバムの残り枚数nを算出する。
【００５６】
次に、ステップＳ６３にて追加登録の可能性が高いs個のアルバムの残り枚数に移動して調整可能な調整枚数NをN＝n／sにより算出する。そして、ステップＳ６４にて調整枚数Nが１を超えているかどうか判断し、１以下ならば処理を終了する。
【００５７】
調整枚数Nが１を超えている場合は、ステップＳ６５にてkを１に設定し、ステップＳ６６にて追加登録の可能性が高いk番目のアルバムの残り枚数m（k）を取得し、ステップＳ６７にてm（k）にNを加算し、ステップＳ６８にてkをインクリメントしステップＳ６９にてkがsになるまでステップＳ６６〜Ｓ６９を繰り返して、kがsになると処理を終了する。
【００５８】
このモード５による最大登録枚数調整処理を実行すると、図１７に示すように、処理前の各アルバムのアルバム管理領域の空き容量に対して、例えば登録可能性が最も低いＧアルバムの空き容量が、登録可能性が高い３つのＡ，Ｂ，Ｄアルバムの空き容量に均等に配分移動され、登録可能性が高い３つのＡ，Ｂ，Ｄアルバムの登録可能な残り枚数が増やされ、登録可能性が最も低いＧアルバムの登録可能な残り枚数が削除されるように最大登録枚数調整が行われる。
【００５９】
次に、最大登録枚数調整処理のモード６について説明する。図１８に示すようにモード６では、ステップＳ７１にて調整アルバム数sが読み出される。そして、ステップＳ７２にて追加登録の可能性が最も低いアルバムの残り枚数nを算出し、ステップＳ７３にてkを１に設定する。
【００６０】
次に、ステップＳ７４にて追加登録の可能性が高いk番目のアルバムの残り枚数m（k）を取得し残り枚数m（k）に調整可能な調整残り枚数N（k）を算出する。算出例としては
N（1）＝n×ｅｘｐ（−１＋１／２）
N（k+1）＝N（k）×ｅｘｐ（−１＋１／２k）
ただし、ΣN（k）＜n
そして、ステップＳ７５にて追加登録の可能性が高いk番目のアルバムの残り枚数m（k）を取得してm（k）にN（k）を加算し、ステップＳ７６にてkをインクリメントしステップＳ７７にてkがsになるまでステップＳ７４〜Ｓ７７を繰り返して、kがsになると処理を終了する。
【００６１】
このモード６による最大登録枚数調整処理を実行すると、図１９に示すように、処理前の各アルバムのアルバム管理領域の空き容量に対して、例えば登録可能性が最も低いＧアルバムの空き容量が、登録可能性が高い３つのＡ，Ｂ，Ｄアルバムの空き容量に重み付けられて移動され、登録可能性が高い３つのＡ，Ｂ，Ｄアルバムの登録可能な残り枚数が増やされ、登録可能性が最も低いＧアルバムの登録可能な残り枚数が削除されるように最大登録枚数調整が行われる。
【００６２】
このように本実施例では、最大登録枚数調整処理により、例えば登録可能性が最も低いＧアルバムの空き容量が削除されるので、図２０に示すように、Ｇアルバムの枚数表示は、３５／１００枚から３５／３５枚となり登録可能な残り枚数がなくなり、例えば登録可能性が最も高いＡアルバムの空き容量は増やされ、図２１に示すように、Ａアルバムの枚数表示は、６５／１００枚から６５／１６５枚となり登録可能な残り枚数が３５（１００−６５）枚から１００（１６５−６５）枚に増加する。
【００６３】
以上のように、本実施例によれば、主記憶メモリに設けられたファイル管理部２５上のアルバム管理領域を効率的に利用することが可能となる。
【００６４】
本発明は、上述した実施例に限定されるものではなく、本発明の要旨を変えない範囲において、種々の変更、改変等が可能である。
【図面の簡単な説明】
【００６５】
【図１】本発明の実施例１に係るＤＳＣの背面構成を示す外観図
【図２】図１のＤＳＣの構成を示すブロック図
【図３】アルバム登録枚数を調整するための図２のＣＰＵの処理の流れを示すフローチャート
【図４】図３の処理でのアルバムの順位付けを説明する第１の図
【図５】図３の処理でのアルバムの順位付けを説明する第２の図
【図６】図３の処理でのアルバムの順位付けを説明する第３の図
【図７】図３の処理で展開される追加可能性計算設定画面を示す図
【図８】図３の最大登録枚数調整処理のモード１の流れを示すフローチャート
【図９】図８の処理を説明する図
【図１０】図３の最大登録枚数調整処理のモード２の流れを示すフローチャート
【図１１】図１０の処理を説明する図
【図１２】図３の最大登録枚数調整処理のモード３の流れを示すフローチャート
【図１３】図１２の処理を説明する図
【図１４】図３の最大登録枚数調整処理のモード４の流れを示すフローチャート
【図１５】図１４の処理を説明する図
【図１６】図３の最大登録枚数調整処理のモード５の流れを示すフローチャート
【図１７】図１６の処理を説明する図
【図１８】図３の最大登録枚数調整処理のモード６の流れを示すフローチャート
【図１９】図１８の処理を説明する図
【図２０】図３の処理を説明する第１の図
【図２１】図３の処理を説明する第２の図
【符号の説明】
【００６６】
２…ＤＳＣ
４…液晶表示部
５…ファインダ
６…パワーＬＥＤ
９…選択／決定ボタン
１０…シャッタ
１１…モード選択ダイヤル
１９…圧縮伸長エンジン
２０…撮像部
２１…ＣＰＵ
２２…ＲＯＭ
２３…ＲＡＭ
２４…画像記憶部
２５…ファイル管理部
２６…外部Ｉ／Ｆ
代理人    弁理士    伊藤  進
【図１】
2006065592.tif 000003
【図２】
2006065592.tif 000004
【図３】
2006065592.tif 000005
【図４】
2006065592.tif 000006
【図５】
2006065592.tif 000007
【図６】
2006065592.tif 000008
【図７】
2006065592.tif 000009
【図８】
2006065592.tif 000010
【図９】
2006065592.tif 000011
【図１０】
2006065592.tif 000012
【図１１】
2006065592.tif 000013
【図１２】
2006065592.tif 000014
【図１３】
2006065592.tif 000015
【図１４】
2006065592.tif 000016
【図１５】
2006065592.tif 000017
【図１６】
2006065592.tif 000018
【図１７】
2006065592.tif 000019
【図１８】
2006065592.tif 000020
【図１９】
2006065592.tif 000021
【図２０】
2006065592.tif 000022
【図２１】
2006065592.tif 000023